(57)【要約】      （修正有）【課題】花粉症の鼻炎及びアレルギー性鼻炎の緩和について、副作用がなく目立たない緩和シールを提供する。【解決手段】両足の一部に足の形に合わせた突起物（磁石等）付シールを貼付する。又、効果のある部分を印刷し、記号（又は印）をつける事により、位置をずらす事ができ個人差や効果の持続を確保する事を特徴とする。【選択図】図２
0003122786.tif 000002
【実用新案登録請求の範囲】
【請求項１】
花粉症の鼻炎症状又は、アレルギー性鼻炎の緩和効果を目的とした貼付シールである。
上記の症状の緩和に対して効果を発見した両足の一部の特定。そこに磁石等の突起物を貼付する事により鼻炎症状が、長時間緩和する事を特徴とする上記貼付シール。
【請求項２】
前記、貼付シールに突起物を貼る位置を明記する。又、記号や印を明記する事で突起物の貼る位置を変える事が出来る様にし、鼻炎症状の緩和が継続する事を特徴とする請求項１記載の貼付シール。
【請求項３】
前記、貼付シールを「足の骨」の形状に合わせて貼付位置をわかり易くする事、又はがれ難いようにカド部を丸くする事を特徴とし、それを目的とする貼り替え用を含めた請求項２記載の貼付シール。
【考案の詳細な説明】
【技術分野】
【０００１】  本考案は、アレルギー性鼻炎又は花粉症に伴う鼻炎の症状を緩和させる為の突起物（磁石）貼付シールに関する。
【背景技術】
【０００２】  人口の半数近くといわれている「花粉症」（アレルギー性鼻炎）、人によっては１０年程度の年数でようやく症状が緩和されたり、完治したりとの情報がありますが、反面毎年多くの人が、突如「花粉症」の症状に悩まされ始めているのも事実です。【０００３】  現在、「花粉症」（アレルギー性鼻炎）の緩和法として「体質改善」、「内服薬」、「マスク」、「眼鏡」等多くの商品があります。
もちろん、すべてにおいて若干の緩和作用しか対策方法がありません。また、内服薬に関しては、副作用の問題があり継続しての使用を制限したりアレルギー性体質の方（又は子供）には服用できないという現状です。【０００４】  花粉症又はアレルギー性鼻炎の方に伺った所、一番苦痛なのが「鼻炎」との回答が多く、その理由として「仕事または生活上、集中力がなくなる」「無気力になる」「不快感が一日中続く」「何度も鼻をかまなくてはならない」「対外的にマスクをしては仕事が出来ない」（特に女性は「鼻をかむ」「マスクをつける」のは化粧との関係上苦痛）でした。【０００５】  鼻炎用内服薬も緩和方法として広く用いられているが、前述したとおりアレルギー性体質の方や、お子様は服用しにくく、又副作用として「便秘、のどの渇き、眠気、脱力感等」があり、一般生活で嫌う方が多い。
【考案の開示】
【考案が解決しようとする課題】
【０００６】  上記の如く、従来の鼻炎緩和商品のかかえる問題点を解決する為、一般生活上内服薬の副作用がなくマスク、眼鏡等の様に対外的に見える部分でない緩和商品の必要がある。
【課題を解決するための手段】
【０００７】  上記の目的を達成する本考案は、足外側の一部である「くるぶし」のななめ下を刺激すると鼻炎の症状を緩和する事を発見し、磁気貼付シールを変形させ、記号（印）を付け貼付し、長時間その一部を押える事により鼻炎の症状を緩和するものである。【０００８】  突起物付粘着性貼付シールの形状を「くるぶしの形」に合わせて作り、貼付しやすく、その足の一部（ツボ）の部分を明示する事により、個人差のある「ツボ」の部分を理解するのが容易であるものとした。両足に１枚づつ貼付する。
同一部分を刺激しつづけると効果が薄れる為、その日により２ｃｍ位の「ツボ」部分の中で突起物をずらす事を可能にし、より効果が続くものとした。
突起物の位置をずらす為、Ａ．Ｂ．Ｃ．Ｄ．Ｅ等の記号（又は印）を印刷する事により位置の異なる場所へ突起物である磁石を貼付したり、磁石の貼り替え用として使用できる。
上記記号を明記する事により貼付位置の変更が容易となる。【０００９】  一般生活での歩行、靴での若干の圧迫で一部を刺激する為貼付する突起物の素材は、痛みのない円形、半円形（又は楕円形）の突起物とする。プラスチック等の素材でも可能だが、効果の長さ即効性を考えると上記形状の磁石が一番有効である。
【考案の効果】
【００１０】  本考案は花粉症による鼻炎、アレルギー性鼻炎の症状の治療ではなく、緩和補助の考案である。本考案を貼付する事により、花粉症やアレルギー性鼻炎の症状が楽になり、上記のとおり「足の一部」である為、マスク、眼鏡等に比べ外見的に目立つ心配がなく、磁石なので副作用の心配がない。
粘着性のシールを使用する為、一日中効果がある。又、貼る位置が明確であり磁石をずらす事により効果が継続し作用点の個人差にも対応できる。
【考案を実施するための最良の形態】
【００１１】  後記図面の形状が一番最良と思われる。カド部を丸くする事で剥がれ難くなる。
磁石等突起物の大きさは、２ｍｍから６ｍｍ位が適当かと思われる。又、裏面の貼付位置の印は５ヶ所前後必要である。
【産業上の利用可能性】
【００１２】  本考案は、花粉症による鼻炎又はアレルギー性鼻炎の症状緩和としての産業分野で利用する事ができる。又、貼り替え用のシールにデザインする事も可能であり、若年層への対応分野でも有効である。
【図面の簡単な説明】
【００１３】
【図１】  本考案の足との貼付位置を示した平面図である。
【図２】  本考案の裏面（粘着面）と効果部分線と記号位置図である。
【図３】  本考案の突起物（磁石等）と貼付シールの断面図である。
【符号の説明】
【００１４】  １  人体（左足外側図）
２  くるぶし（外側）
３  本考案貼付位置
４  粘着面
５  効果部分ライン線
６  印又は記号明記位置
７  貼付シール断面
８  突起物（磁石）形状例
９  貼付方向  足側
１０  貼付方向  外側
【図１】
0003122786.tif 000003
【図２】
0003122786.tif 000004
【図３】
0003122786.tif 000005
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
花粉症の鼻炎症状又は、アレルギー性鼻炎の緩和効果を目的とした貼付シールであり、上記の症状の緩和効果を発見した両足の一部に、磁石等の突起物を貼付する作用点を容易に認識できる形状を有する貼付シール。
【請求項２】
前記、貼付シールに突起物を貼る位置を明記し、記号や印を明記する事で突起物を貼る作用点を容易に変える事が出来る形状を有する請求項１記載の貼付シール。
【請求項３】
前記、貼付シールを「足の骨」の形状に合わせて貼付位置をわかり易くし、はがれ難いようにカド部を丸くする形状を有する請求項２記載の貼付シール。
【手続補正書】
【提出日】平成17年12月15日(2005.12.15)
【手続補正１】
【補正対象書類名】実用新案登録請求の範囲
【補正の内容】
0003122786.tif 000006
【手続補正書】
【提出日】平成18年3月29日(2006.3.29)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
花粉症の鼻炎症状又は、アレルギー性鼻炎の緩和効果を目的とした貼付シールであり、上記の症状の緩和効果を発見した両足外側の一部（くるぶし骨と踵を結ぶライン上）に、磁石等の突起物を貼付する作用点を容易に認識できる、「くるぶし骨」に合わせたＬ型の形状を有する貼付シール。
【手続補正２】
【補正対象書類名】手続補正書
【補正対象項目名】手続補正２
【補正方法】追加
【補正の内容】
【手続補正２】
【補正対象書類名】実用新案登録請求の範囲
【補正対象項目名】請求項３
【補正方法】変更
【補正の内容】
【請求項３】
前記、貼付シールを「足の骨」（通称、くるぶし骨）の形状に合わせて作用点であるくるぶし骨と踵を結ぶライン上の貼付位置をわかり易くし、はがれ難いようにカド部を丸くする形状を有する請求項２記載の貼付シール。